(57)【要約】【課題】 メモリカードスロットの係合定位構造を提供する。【解決手段】“S”型槽或いは逆“S”型槽はメモリカードスロットの蓋板上に設置され、略鋭角三角形を呈する孔はメモリカードスロットのベース片側に装置する前後往復移動フレーム上に形成され、柱或いは穿孔を有し、柱は孔内の上縁に設置される。係合フックは逆“L”型棒体或いは“L”型棒体で、第一突軸、第二突軸を有する。第一突軸は棒体末端の背面上に設置し、第二突軸は棒体の正面のほぼ中央位置に設置する。係合フックは棒体上の第一突軸により前後往復移動フレーム上の孔内の柱或いは穿孔中に可動設置され、これにより棒体上の第二突軸はメモリカードスロットの蓋板上の“S”型槽中あるいは逆“S”型槽中に嵌合される。【選択図】  図２
0003127328.tif 000002
【実用新案登録請求の範囲】
【請求項１】
ベース、蓋板、前後往復移動フレームを有して、前記ベースの片側の前記前後往復移動フレーム上に略鋭角三角形を呈する孔を形成し、
前記蓋板上に“S”型槽或いは逆“S”型槽を設置し、
前記略鋭角三角形を呈する孔内の上縁上に、柱或いは穿孔を設け、
係合フックは逆“L”型棒体或いは“L”型棒体で、第一突軸、第二突軸を有し、
前記第一突軸は前記棒体末端の背面上に設置し、
前記第二突軸は前記棒体の正面のほぼ中央位置に設置し、
前記係合フックは前記棒体上の第一突軸により前記前後往復移動フレーム上の孔内の柱或いは穿孔中に可動可能に設置され、これにより前記棒体上の第二突軸がメモリカードスロットの蓋板上の“S”型槽中あるいは逆“S”型槽中に嵌合されることを特徴とするメモリカードスロットの係合定位構造。
【考案の詳細な説明】
【技術分野】
【０００１】
本考案は、メモリカードスロットの係合定位構造に係り。特にメモリカードを確実に係合定位可能で、該メモリカードの固定状態を確実に保持可能なメモリカードスロットの係合定位構造に関する。
【背景技術】
【０００２】
図６、７、８に示すように、現行のメモリカードスロット２aの係合定位構造３aは概ね“〔（きっこうカッコ）”型、或いは逆“〔”型（すなわち、前後往復移動フレーム３１aはベース２１aの左側位置に設置する。図６〜９に示す右側位置ではない）を呈する槽２２１aを含み、従来のメモリカードスロット２aの蓋片２２a上に設置されている。略鋭角三角形を呈する孔３１１aは、メモリカードスロット２aのベース２１a片側に装置する前後往復移動フレーム３１a上に設置し(図７、９参照)、逆鋭角三角形階段層の突台３１２aを含み、前記孔３１１a内に設置される。また、係合弾力片３２a(図１０参照)は、逆“V”型弾性片体３２０aを呈し、略横“V”型係合フック３２１aを含み、弾性片体３２０a内側片の末端に延伸して設置される。また、突片３２２aを有して弾性片体３２０a内側板上に設置される。前記係合弾力片３２２aは、前後往復移動フレーム３１a上の孔３１１a中に嵌合し、該孔３１１a内の逆鋭角三角形階段層突台３１２aにより支えられ、しかも該孔３１１a内に定位される。
【０００３】
従来のメモリカードスロット２aの蓋板２２aは、メモリカードスロット２１aのベース２１a上に蓋合後(即ち図６、７に示す状態)、係合弾力片３２a上の突片３２２aがメモリカードスロット２aの蓋板２２a上の“〔（きっこうカッコ）”型２２１a中に嵌合される。
【０００４】
さらに、図７、９に示すように、一般のメモリカード１は、概ね矩形片体１０を有し、右側或いは左側に幅が広い突台１１を突出させて設けている。該突台１１の内側寄った外縁上には、横に広“V”型欠口１２を設置する。メモリカード１を従来のメモリカードスロット２aに挿入する前(すなわち、図６、７に示す状態)では、係合定位構造３a中の係合弾力片３２a上の突片３２２aは、従来のメモリカードスロット２aの蓋板２２a上の“〔”型２２１a或いは逆“〔”型槽前端に位置するため比較的右寄りで、よって係合弾力片３２aの逆“V”型弾性片体３２０aを導引し、「比較的狭い」状況を形成する。前記係合弾力片３２aの逆“V”型係合フック３２１aは、これに従い、右向き或いは左向きの移動を行うため、メモリカード１右側突台１１上の広“V”型欠口１２から外に出て行く状態を形成する。すなわち、メモリカード１をメモリカードスロット２aに挿入する動作を行うことができる。
【０００５】
しかしながら、メモリカード１を従来のメモリカードスロット２a中に挿入する動作においては、メモリカード１はメモリカードスロット２aのベース２１片側の前後往復移動フレーム３１aと連動し、内側に向かった(すなわち、図示の上方)移動動作を行わせる他に、係合弾力片３２a上の突片３２２aを合わせて連動させ、さらにはメモリカードスロット２aの蓋板２２a上の“〔”型２２１a或いは逆“〔”型槽に沿って内側へと移動し、該“〔”型２２１a或いは逆“〔”型槽の後端の左寄り或いは右寄りの位置に移動する。こうして、係合弾力片３２aの逆“V”型弾性片体３２０aを導引し「比較的広い」状況を形成し、その末端の横“V”型係合フック３２１aはこれに従い、左向き或いは右向きの移動動作を行い、メモリカード１は右側或いは左側の突台１１上の広“V”型欠口１２内に移動し入る状態を形成する(図８、９参照)。これにより、メモリカード１を固定し、該メモリカード１は該メモリカードスロット２a内に係合定位される。
【０００６】
上記のように、メモリカード１を従来のメモリカードスロット２a中に挿入する時、係合定位構造３a中の係合弾力片３２aにより係合定位されるが、確実に定位することはできないため、少し力を入れれば、メモリカード１を抜き取り、取り出すことができる。同時に係合弾力片３２aは、リンと銅との合金板をプレス製造する逆“V”型弾性片体３２０aによるため、非常に薄く弾力には限界がある。このため、新しくメモリカード１に挿入する時には、該逆“V”型弾性片体３２０a内側板末端の横“V”型係合フック３２１aは該メモリカード１を係合することができるが、該メモリカード１の挿入、抜き取りを数回行った後に、該メモリカード１を従来のメモリカードスロット２aに挿入する動作を行うと、係合弾力片３２aの横“V”型係合フック３２１aは変形現象を起こし易い。これにより、メモリカード１を確実に係合できず、或いは係合定位を保持できない状態が発生し、或いは緩みや脱落などの状況がしばしば発生している。
【考案の開示】
【考案が解決しようとする課題】
【０００７】
従来のメモリカードスロットの係合定位構造には、以下の欠点があった。
【０００８】
すなわち、メモリカードを従来のメモリカードスロット中に挿入するとき、確実に定位することはできないため、少し力を入れれば、該メモリカードを抜き取り、取り出すことができてしまう。同時に、従来構造の係合弾力片は、合金板をプレス製造し成型して形成するため、非常に薄く弾力には限界があり、メモリカードの挿入、抜き取りを数回行った後に、メモリカードを従来のメモリカードスロットに挿入すると、係合弾力片の横“V”型係合フックに変形現象を起こし易い。これにより、メモリカードを確実に係合できず、或いは係合定位を保持できない状態が発生し、或いは緩みや脱落などの状況がしばしば発生している。
【０００９】
本考案は上記構造の問題点を解決し、メモリカードを確実に係合定位可能で、しかもメモリカードの係合定位の固定状態を確実に保持可能で、緩みや脱落などの状況が発生しないメモリカードスロットの係合定位構造を提供することを目的とする。
【課題を解決するための手段】
【００１０】
本考案のメモリカードスロットの係合定位構造は、“S”型槽或いは逆“S”型槽をメモリカードスロットの蓋板上に設置され、略鋭角三角形を呈する孔をメモリカードスロットのベース片側に装置する前後往復移動フレーム上に形成し、前記略鋭角三角形を呈する孔は柱或いは穿孔を有し、係合フックは逆“L”型棒体或いは“L”型棒体で、第一突軸、第二突軸を有し、該第一突軸は前記棒体末端の背面上に設置し、前記第二突軸は該棒体の正面のほぼ中央位置に設置し、係合フックは棒体上の第一突軸により前後往復移動フレーム上の孔内の柱或いは穿孔中に可動可能に設置され、これにより前記棒体上の第二突軸メモリカードスロットの蓋板上の“S”型槽中あるいは逆“S”型槽中に嵌合され、
さらに、メモリカードがメモリカードスロットに挿入されていない時点では、係合定位装置の係合フック上の第二突軸は、メモリカードスロットの蓋板上の“S”型槽２２１前端或いは逆“S”型槽前端に位置し、右側或いは左側に偏っているため、係合フックの逆“L”型棒体或いは“L”型棒体下側の水平棒フックと連動し、右向き或いは左向きの移動を行わせ、メモリカード右側の突台外側に移動する状態を形成し、該メモリカードは順調にメモリカードスロット内に進入することができ、
メモリカードをメモリカードスロット中に挿入する動作を行う際には、メモリカードはメモリカードスロットのベース片側の前後往復移動フレームと連動して内側に向かい移動する動作を行わせる他に、係合フック上の第二突軸を一緒に連動し、メモリカードスロットの蓋板上の“S”型槽或いは逆“S”型槽に沿って内側に向かって移動し、該“S”型槽或いは逆“S”型槽の後端の左側或いは右側に偏った位置に移動し、こうして、係合フックが随時左向き或いは右向きに偏った移動を行わないよう改善し、これにより係合フックの逆“L”型棒体或いは“L”型棒体下側の水平棒フックが左向き或いは右向きに偏った移動動作を行う時に、メモリカードの矩形片体は右側或いは左側突台上の横広“V”型欠口内に嵌入される状態を形成し、
こうして、メモリカードの固定状態を確実に保持可能で、緩みや脱落の現象は発生しない。
【考案の効果】
【００１１】
上記のように、本考案によれば、メモリカードをメモリカードスロット内に確実に係合固定する動作を行うことができ、メモリカードの固定状態を確実に保持可能で、緩みや脱落の現象は発生しない。
【考案を実施するための最良の形態】
【００１２】
以下、図面を参照して本考案を説明する。
【実施例】
【００１３】
図１〜４に示すように、本考案の実施例によるメモリカードスロット２の係合定位装置３は“S”型槽２２１、或いは逆“S”型槽、略鋭角三角形を呈する孔３１１、係合フック３２を有して構成されている。前記係合定位装置３は、メモリカードスロット２の蓋板２２上に設置される。図１〜３に示すように、前後往復移動フレーム３１は、ベース２１の右側位置に装置されるため“S”型槽２２１であるが、該前後往復移動フレーム３１が該ベース２１の左側位置に装置される時には、蓋板２２左側に逆“S”型槽を設置することになる。
【００１４】
前記略鋭角三角形を呈する孔３１１は、メモリカードスロット２のベース２１片側に装置する前後往復移動フレーム３１上に形成し、柱３１２或いは穿孔を有している。
【００１５】
係合フック３２(詳細は図５参照)は、逆“L”型棒体３２０、或いは“L”型棒体(すなわち該前後往復移動フレーム３１がベース２１の左側位置にあるときの棒体形状（図示は省略)で、第一突軸３２１、第二突軸３２２、水平棒フック３２３を有している。
【００１６】
前記第一突軸３２１は、棒体３２０末端の背面上に設置し、前記第二突軸３２２は棒体３２０の正面のほぼ中央位置に設置する。前記係合フック３２は、前記棒体３２０上の第一突軸３２１により前後往復移動フレーム３１上の孔３１１内の柱３１２或いは穿孔中に可動可能に設置される。これにより、棒体３２０上の第二突軸３２２は、前記メモリカードスロット２の蓋板２２上の“S”型槽２２１中あるいは逆“S”型槽中に嵌合する(図示なし)。
【００１７】
メモリカード１が前記メモリカードスロット２に挿入されていない時点では、本実施例の係合定位装置３の係合フック３２上の第二突軸３２２は、メモリカードスロット２の蓋板２２上の“S”型槽２２１前端(図１参照)、或いは逆“S”型槽前端に位置する。右側或いは左側に偏っているため、係合フックの逆“L”型棒体３２０、或いは“L”型棒体下側の水平棒フック３２３と連動し、右向き(或いは左向き)の移動を行わせ、メモリカード１右側の突台１１外側に移動する状態を形成する。この際、メモリカード１は順調にメモリカードスロット２内に進入することができる。
【００１８】
前記メモリカード１を本実施例のメモリカードスロット２中に挿入する動作を行う際には、メモリカードスロット２のベース２１片側の前後往復移動フレーム３１が内側に向かって移動する動作を行う他に、係合フック３２上の第二突軸３２２を一緒に連動させ、メモリカードスロット２の蓋板２２上の“S”型槽２２１或いは逆“S”型槽に沿って内側に向かって移動し、該“S”型槽２２１或いは逆“S”型槽の後端の左側或いは右側に偏った位置に移動する。こうして、係合フック３２が随時左向き或いは右向きに偏った移動を行わないよう改善し、これにより係合フック３２の逆“L”型棒体或いは“L”型棒体下側の水平棒フック３２３が左向き或いは右向きに偏った移動動作を行う時に、メモリカード１の矩形片体１０は右側或いは左側突台１１上の横広“V”型欠口１２内に嵌入される状態(すなわち図２、４図示の状態)となる。
【００１９】
こうしてメモリカード１をメモリカードスロット２内に確実に係合固定する動作を行うことができ、メモリカード１の固定状態を確実に保持可能で、緩みや脱落の現象は発生しない。
【図面の簡単な説明】
【００２０】
【図１】メモリカードを本考案実施例のカードスロット内に挿入しようとする動作時を示す説明図である。
【図２】メモリカードを本考案実施例のメモリカードスロット内に挿入しようとする動作時に蓋板を開放した状態を示す説明図である。
【図３】メモリカードが本考案実施例のメモリカードスロット内に既に挿入された状態を示す説明図である。
【図４】メモリカードが本考案実施例のメモリカードスロット内に既に挿入された時に蓋板を開放した状態を示す説明図である。
【図５】本考案実施例のメモリカードスロットの係合定位構造中の係合フック構成部品を示す斜視図である。
【図６】メモリカードを従来のメモリカードスロット内に挿入しようとする動作時の説明図である。
【図７】メモリカードを従来のメモリカードスロット内に挿入しようとする動作時に蓋板を開放した状態の説明図である。
【図８】メモリカードが従来のメモリカードスロット内に既に挿入された状態の説明図である。
【図９】メモリカードが従来のメモリカードスロット内に既に挿入された時に蓋板を開放した状態の説明図である。
【図１０】従来のメモリカードスロットの係合定位構造中の係合弾力片を示す斜視図である。
【符号の説明】
【００２１】
１  メモリカード
１０  矩形片体
１１  突台
１２  広“V”型欠口
２  メモリカードスロット
２１  メモリカードスロットのベース
２２  メモリカードスロットの蓋片
２２１  “S”型槽
３  メモリカードの係合定位装置
３１  前後往復移動フレーム
３１１  孔
３１２  柱
３２  係合フック
３２０  逆“L”型棒体
３２１  第一突軸
３２２  第二突軸
３２３  水平棒フック
【図１】
0003127328.tif 000003
【図２】
0003127328.tif 000004
【図３】
0003127328.tif 000005
【図４】
0003127328.tif 000006
【図５】
0003127328.tif 000007
【図６】
0003127328.tif 000008
【図７】
0003127328.tif 000009
【図８】
0003127328.tif 000010
【図９】
0003127328.tif 000011
【図１０】
0003127328.tif 000012